(57)【特許請求の範囲】
【請求項１】
室内ユニットのうち室内熱交換器及び室内ファンが配設されている筺体の後板の一側上部に、室内熱交換器と室外熱交換器を連結する配管等を通して前記後板の背面に配置するようにした空気調和機において、
前記後板は、その一側端部において上部コーナー、側面及び下部コーナーの各部分が除去されており、
前記上部コーナー部分のうち前記後板の一側端上部には切り欠きが形成され、
この切り欠きの下方には、室内熱交換器から延出された補助配管が配設されるコ字状の配管通路が前記後板と一体に成型され、
前記後板の上部コーナー、側面、及び下部コーナーの各部分は、室内ユニットの背面側の外表面を形成するコ字状の一体成型部品であるコーナーカバーで覆れ、
前記コーナーカバーは、その上部およびその下部が前記後板に係合して着脱自在に装着されるとともに、その上部の係合が、前記後板の前記配管通路よりも本体側において行われるように構成されていることを特徴とする空気調和機。
【請求項２】
前記コーナーカバーは、その側面部が二重構造としてあることを特徴とする、請求項１記載の空気調和機。
【発明の詳細な説明】
【０００１】
【発明の属する技術分野】
本発明は空気調和機に係り、特にその室内ユニットに関する。
【０００２】
【従来の技術】
一般に、空気調和機においては、図６，図７に示すように、室内ユニット本体１に室内熱交換器２やドレンパン３，電装組品４、室内熱交換器２用の補助パイプ５等を設けるとともに、補助パイプ５等を通すために室内ユニット本体１の上面部に切り欠き６を形成し、図７に示すように、室内ユニット本体１の背面に凹部７を形成し、これらの切り欠き６と凹部７内に配置した補助パイプ５等を、室内ユニット本体１の背面にねじ止めした固定アングル８等により押さえ付けるとともに、上記切り欠き６に接合片９aを補助パイプ５を覆うように取り付けることが行われている。また、室内ユニット本体１の側面下方には室外機との配線５bを後板の背面側から前面側に通すための通路が形成されている。配線５bは後板の背面側から後板下部に設けられている開口を通って前面側に設けられている端子台に接続されている。通常の配線時には特に外す必要はないが、配線の確認や、配線作業を容易化するため、室内ユニット本体のコーナー部は取り外しが可能なようにコーナー片９bが設けられている。すなわち、配線５bが通過する通路は後板とコーナー片９bによって形成されている。
【０００３】
【発明が解決しようとする課題】
しかしながら、このような構造のものでは、室内ユニット本体１の切り欠き６に取り付けられる接合片９a、コーナー部に取り付けられるコーナー片９bの部品が必要で部品点数が多くなる。また、コーナー部は配送時に当たったり、コーナー部を下に落下したりする可能性が最も高く、その際、小さなコーナー片９bに大きな衝撃が加わり、特に室内ユニット本体１の後板とコーナー片９bの取付部分に強い力が加わり、この部分を破損してしまうことがある。
【０００４】
さらに、コーナー片９bの上部の室内ユニット側面は、室内ユニット本体１の中央部との間に切り欠き６があるため、この部分において強度的に中央部とのつながりが弱く、側面に強い衝撃が加わった場合、切り欠き６部分を破損する可能性もあった。
【０００５】
また、コーナー片９bには室内ユニット右外部に配管接続を行う場合に配管取り出し口となる切り離し可能なブッシング９cが設けられているが、このブッシング９cを取り外した場合にはコーナー片９bの側面のほとんどが切り取られ、コーナー片９bの室内ユニット本体１との取付が弱くなり、外れ易くなる等の問題があった。
【０００６】
本発明はこのような点に鑑み、部品点数が少なくなるようにするとともに機械的強度を高めることができるようにした空気調和機を得ることを目的とする。
【０００７】
【課題を解決するための手段】
請求項１に係る発明は、室内ユニットのうち室内熱交換器及び室内ファンが配設されている筺体の後板の一側上部に、室内熱交換器と室外熱交換器を連結する配管等を通して前記後板の背面に配置するようにした空気調和機において、
前記後板は、その一側端部において上部コーナー、側面、及び下部コーナーの各部分が除去されており、
前記上部コーナー部分のうち前記後板の一側端上部には切り欠きが形成され、
この切り欠きの下方には、室内熱交換器から延出された補助配管が配設されるコ字状の配管通路が前記後板と一体に成型され、
前記後板の上部コーナー、側面、及び下部コーナーの各部分は、室内ユニットの背面側の外表面を形成するコ字状の一体成型部品であるコーナーカバーで覆れ、
前記コーナーカバーは、その上部およびその下部が前記後板に係合して着脱自在に装着されるとともに、その上部の係合が、前記後板の前記配管通路よりも本体側において行われるように構成されていることを特徴とする。
【０００８】
請求項２に係る発明は、請求項１に係る発明において、コーナーカバーの側面部が二重構造としてあることを特徴とする。
【００１０】
【発明の実施の形態】
以下、図１乃至図５を参照して本発明の実施の形態について説明する。
図１は、本発明に係わる空気調和機の室内ユニット本体１０の縦断面図であり、その室内ユニット本体１０の筺体１１の前面部にはその前面及び側面の一部を覆う前面パネル１２が設けられており、その前面パネル１２の前面側にはグリル１３aが設けられた前面吸込口１４aが開口され、上面にはグリル１３bが設けられた上部吸込口１４bが開口されている。また、上記室内ユニット本体１０の筺体１１内には、その前面側に前方に突出するように湾曲した第１の室内熱交換器１５aが配設され、上面側には上記第１の室内熱交換器１５aに連結され背面側に向かって下方に傾斜した第２の室内熱交換器１５bが配設されている。そして、上記第１の室内熱交換器１５aと第２の室内熱交換器１５bとの間には、絞り付き二方弁の如き除湿用絞り弁１６が設けられている。さらに、上記第２の室内熱交換器１５bの上方にはその第２の室内熱交換器１５bとほぼ平行状態に除湿運転時に凝縮器として作用する第３の室内熱交換器１７が設けられている。一方、上記第１の室内熱交換器１５aの後方には横流ファンからなる室内ファン１８が配設されており、その室内ファン１８の下方には通風路１９に連通する吹出口２０が形成されている。
【００１１】
図２は上記各熱交換器を連結する配管を示す図であって、第３の室内熱交換器１７の一端の伝熱管が図示しない膨張弁に連結され、他端の伝熱管が導管２１を介して第１の室内熱交換器１５aの頂部の伝熱管に連結されている。上記導管２１が連結されている第１の室内熱交換器１５aの伝熱管と直接連通している所定の伝熱管には、三方ベンド分流器２２が連結されている。その三方ベンド分流器２２から分岐された２本の導管２３a、２３bの先端が第１の室内熱交換器１５aの中間部における２つの伝熱管に連結されている。上記２本の導管２３a、２３bが連結された伝熱管にそれぞれ直接連通する端部の伝熱管は分流パイプ２４によって接合されている。その分流パイプ２４には、第２の室内熱交換器１５bに取り付けられた分流三方ベンド２５に一端が接続された導管２６が連結されており、この導管２６には、その途中に消音マフラ２７及び前記除湿用絞り弁１６が設けられている。一方、第２の室内熱交換器１５bにおける前記分流三方ベンド２５に連通する２つの伝熱管の端部は合流パイプ２８により結合され、器外に導出されている。
【００１２】
しかして、室内ファン１８により前部吸込口１４a及び上部吸込口１４bから吸い込まれた室内空気は室内熱交換器１５a、１５b、１７において熱交換された後、通風路１９を通って吹出口２０から調和空気として室内に吹き出される。
【００１３】
上記室内ユニット本体１０の筺体１１は、後板３０とドレンパン３１，３２を合成樹脂により一体成形した成型品として構成されており、上記ドレンパン３１が第１の室内熱交換器１５aの下方に配設され、ドレンパン３２が第２の室内熱交換器１５bの下方に配設されており、第１の室内熱交換器１５a、および第２の室内熱交換器１５b、第３の室内熱交換器１７で発生したドレンが上記ドレンパン３１及び３２で集められ、室外に排出される。
【００１４】
図３は、上記筺体１１の各室内熱交換器１５a、１５b、１７を取り除いた状態を示す正面を斜めから見た斜視図、図４は、各室内熱交換器１５a、１５b、１７を載置した状態を示す上方斜めから見た斜視図で、ファンモータが取り外された状態が示されている。筺体１１の一側端部にはファンモータ収納部３３が筺体１１と合成樹脂により一体成型されている。上記ファンモータ収納部３３は室内ファン１８の長手軸線と同一軸線を有し、外側端部が開放された筒状に形成されており、そのファンモータ収納部３３内にファンモータが軸線方向に挿入装着されている。ファンモータ収納部３３の内側面部である熱交換器側側面には、第１，第２の室内熱交換器１５a、１５bの設置方向に立ち上がり、室内ファン側の壁面となる仕切板３４が設けられ、ファンモータ収納部３３の反熱交換器側の外側面部には立ち上がった第２の仕切板であるフランジ状の側壁３５が形成されている。そして、上記仕切板３４と側壁３５の間に、図４に示すように、前記各熱交換器を連結する配管３９や室内熱交換器を室外熱交換器に連結する補助配管３６が配設されている。
【００１５】
一方、筺体１１の後板３０の一側端部においては、図４、図８に示すように、後板３０の上部コーナー５０、側面５１、及び下部コーナー５２部分が除去されている。なお、ここで側面５１が除去されているというのは室内ユニット外表面まで延出されていないことを意味している。上部コーナー５０部分の後板３０の一側端上部には切り欠き３７が形成され、この切り欠き３７の下方にはコ字状の配管通路５５が形成されている。このコ字状の配管通路５５は後板３０中心側の基部側壁５３と側面側の側壁５４と両側壁をつなぐ垂直壁５６とから構成され、室内熱交換器から延出された補助配管３６は切り欠き３７を通って後板背面側に延び、この切り欠き部分で９０度下方に曲げられ、配管通路を通って背面下部に至りこの部分で右方向の後板３０中央に向かう方向に水平９０度折り曲げられている。なお、配管通路５５を構成する基部側壁５３，側壁５４，垂直壁５６は全て合成樹脂により後板３０と一体成型されている。
【００１６】
通常、補助配管３６は、この後板３０の背面下部中央において室外機から延出されてきた配管と接続される。なお、図４では省略したが、補助配管３６には断熱材が巻かれ、切り欠き３７以降では結露しないように構成されている。したがって、実際の補助配管３６はかなりの太さになり、後板３０背面のコ字状の配管通路５５にきつく嵌り込む形となる。
【００１７】
また、上記後板３０の一端下部の下部コーナー５２も切り欠かれ、この部分を図示しない室外機との配線が背面側から前面側に通過し、前面側のコネクタに接続される。
【００１８】
ところで、前記後板３０の除去された部分には、図３に示すように、コーナーカバー４０が着脱可能に装着されている。図５は上記コーナーカバー４０の斜視図であり、後板３０の上部コーナー５０、側面５１、及び下部コーナー５２を覆うことができるようにコ字状に形成されている。このコーナーカバー４０は、図９の室内ユニット側面図に示すように室内ユニットの背面側の外表面を形成するもので、コーナーカバー４０を取付けた後板３０に前方から前面パネル１２が取り付けられる。コーナーカバー４０の側面部４０aは、２重構造に構成されており、その内外両壁部は図示しない複数のリブによって連結され補強されている。また、上部コーナー部４０b及び下部コーナー部４０cの先端側（後板３０に対向する部分）には、それぞれ爪からなる係止片４１a、４１bが突出されており、コーナーカバー４０を後板３０に装着したときに、上部の係止片４１aである爪が後板３０の上部の切り欠き３７の基部側の背面内面に設けられた被係合部に係合し、下部の係止片４１bが後板３０の下部コーナー５２の切り欠き部分に設けられた被係合部に係合し、この２カ所でコーナーカバー４０が後板に固定されるようになっている。
【００１９】
また、コーナーカバー４０の側面部の内側面には複数の突起５８が後板側に突出して設けられ、この突起５８は、コーナーカバー４０の後板３０取付時の位置決めを行うためのもので、図４に示される配管通路５５の側面側の側壁５４外側に設けられている穴５９に緩く嵌り込むようになっている。
【００２０】
このように、コーナーカバー４０は、上部コーナー５０から側面５１、下部コーナー５２までつながる一体部品であるため、強度的に強くすることができ、部品点数の削減と強度向上が同時に得られる。また、コーナーカバー４０の上部の係合は後板３０の配管通路５５よりも本体側で行われるため、強度の弱い配管通路５５より側面側で固定するのに比べ、強固に固定できるとともに、配管通路５５に大きな力が加わり、後板の本体側との間の細い連結部分に強い力が加わるのを防止できる。
【００２１】
また、室内ユニットの小型化のために配管通路５５は断熱材を巻いた補助配管３６が通過できる最小の幅に作られているため、この部分には断熱材の弾性によって幅方向に広げようとする力が働くが、配管通路５５の基部側壁５３と側面側の側壁５４によって押さえ込まれ、コーナーカバー４０の側面に対して押し広げる力が加わることがないため、コーナーカバー４０が補助配管３６に押されて外れることもない。
【００２２】
なお、図３，図９において符号４２は必要に応じて切り欠くことができるブッシング部である。このブッシング部４２は周辺が薄肉でコーナーカバー４０に一体成型され、設置工事において切り欠きやすくなっている。このブッシング部４２は、室外機との配管接続において、室内ユニット右外側において接続する場合、通常室内ユニットを前方から見て左側に収納されている補助配管３６を右側に１８０度折り曲げ、外部に引き出す際の開口として切り欠かれる。
【００２３】
本実施の形態においては、コーナーカバー４０と後板３０との係合は上部と下部にしかないため、側面に位置するブッシング部４２付近は強い力が加わらず、またブッシング部４２と係合部が離れているため、ブッシング部４２を取り外したとしてもコーナーカバー４０と後板３０との取付が弱まることがない。
【００２４】
【発明の効果】
以上説明したように、本発明は、空気調和機における室内ユニットの筺体後板の一側上部を通して室内熱交換器と室外熱交換器を連結する配管等を後板背面に配置するようにした空気調和機において、上記配管、ドレン管及び配線が通過する後板における上部コーナーから側面及び下部コーナーを覆うコ字状のコーナーカバーを、上記後板に着脱自在に装着したので、一つのコーナーカバーによって配管が通過する後板の上部コーナーから側面及び下部コーナーを覆うことができ、部品点数を少なくでき、その着脱を容易に行うことができ、筺体全体の強度を高めることができる。さらに、上記コーナーカバーの側面部を二重構造とした場合には、その強度を一層向上させることができる。
【図面の簡単な説明】
【図１】本発明における空気調和機の室内ユニットの縦断面図。
【図２】各室内熱交換器を連結する配管の構成を示す図。
【図３】筺体の各室内熱交換器を取り除いた状態を示す、正面を斜めから見た斜視図。
【図４】筺体の各室内熱交換器を載置した状態を示す上方斜めから見た斜視図で、ファンモータが取り外された状態を示す図。
【図５】コーナーカバーの斜視図。
【図６】従来の空気調和機の前面パネルを除去した状態を示す斜視図。
【図７】図６で示す空気調和機の背面斜視図。
【図８】室内ユニットの筺体の正面斜視図。
【図９】本発明の空気調和機の室内ユニットの側面図。
【符号の説明】
１１  筺体
３０  後板
３６  補助配管
４０  コーナーカバー
４０a  側面部
４０ｂ  上部コーナー部
４０ｃ  下部コーナー部
４１a、４１b  係止片
【図１】
0004493188.tif 000002
【図２】
0004493188.tif 000003
【図３】
0004493188.tif 000004
【図４】
0004493188.tif 000005
【図５】
0004493188.tif 000006
【図６】
0004493188.tif 000007
【図７】
0004493188.tif 000008
【図８】
0004493188.tif 000009
【図９】
0004493188.tif 000010